(57)【要約】【課題】    部品点数の増大を抑制して、警告等の情報を表示出来る発光指針構造を提供する。【解決手段】    指針本体３が、ムーブメント２の回動駆動によって回動されて、赤色ＬＥＤ１２の真上に、指針本体３が到達した状態となると、赤色ＬＥＤ１２の照明光が、導光部材１０の入光側凸レンズ部１０ｃ及び出光側凸レンズ部１０ｂを介して、指針本体３方向へ集光されて導かれる。  このため、赤色ＬＥＤ１２の照明光によって、指針本体３が、文字盤６上のレッドゾーン６ｃに差し掛かる一定の回動角度になると、赤色に強く発光する。【選択図】  図１
2006337177.tif 000002
【特許請求の範囲】
【請求項１】
文字盤裏面側に設けられた光源から文字盤表面側に照明光を導光する導光部材を設けて、該表面側に回動可能に配設される指針本体を照明する発光指針構造であって、
前記導光部材には、前記指針本体を回動させる回転軸の周囲の特定部位に設けられた特定光源の真上に、該指針本体が到達した状態で、該特定光源の照明光を、該指針本体へ導く光学的強調手段が設けられていることを特徴とする発光指針構造。      
【請求項２】
前記光源及び特定光源を前記回転軸の周囲に周方向に沿って配列すると共に、特定光源の光量を他の光源の光量よりも明るく設定することを特徴とする請求項１記載の発光指針構造。
【請求項３】
前記光源及び特定光源を前記回転軸の周囲に周方向に沿って配列すると共に、特定光源の色彩を、他の光源の色彩と異ならせた注意換気色とすることを特徴とする請求項１又は２記載の発光指針構造。
【請求項４】
光学的強調手段は、前記導光部材の入光面若しくは出光面のうち、少なくとも入光面に膨出されて一体に形成される凸レンズ部であることを特徴とする請求項１乃至３記載の発光指針構造。
【発明の詳細な説明】
【技術分野】
【０００１】
本発明は、インジケータ発光機能を兼ね備えた発光指針構造で、特に、車両のコンビネーションメータ等、レイアウトスペースの制約が有るメータ類の発光指針構造に関する。
【背景技術】
【０００２】
従来、アナログメータの指針の視認性を向上させる為、指針本体を発光させる発光指針構造としては、図５乃至図７に示すようなものが知られている（例えば、特許文献１，２等参照）。
【０００３】
このようなものでは、回路基板１の裏面側に設けられたムーブメント２の回転軸２ａに、文字盤６の表面側に配置される指針本体３が、圧入固定されて、この回転軸２ａの回動に伴って、回動するように構成されている。
【０００４】
この回路基板１の上面側で、前記回転軸２ａの周囲には、光源としての複数のＬＥＤ４…が、周方向に所定間隔を置いて固着されている。
【０００５】
また、このＬＥＤ４…と、前記指針本体３との間には、導光部材５が介装されていて、下面側に隆起形成された凸レンズ部５ａ…を、前記ＬＥＤ４…に各々対向させるように構成されている。
【０００６】
次に、この従来の発光指針構造の作用について説明する。
【０００７】
このように構成された従来の発光指針構造では、前記指針本体３が、ムーブメント２の回転軸２ａの回動に伴って回動すると、前記ＬＥＤ４…の照明光が、前記導光部材５の複数の凸レンズ部５ａ…から入光して、指針本体３へ向けて、略均一に導かれる。
【０００８】
このため、指針本体３が、何れの回動角度であっても、略同一の光量で発光される。
【特許文献１】特開２００１−３１１６３３号公報（段落００２２乃至段落００７８、図１５乃至図１７）
【特許文献２】特開２００１−２１５１３８号公報（段落００１７乃至段落００３０、図１乃至図８）
【発明の開示】
【発明が解決しようとする課題】
【０００９】
しかしながら、このように構成された従来の発光指針構造では、メータの指針本体３が支持する値と関連する注意喚起情報、例えば、スピードメータであれば、速度超過警告、回転計であれば、オーバーレブ警告等が、メータ内の文字盤６上の他の部分に、警告灯を設置して点灯表示させたり、ブザー装置を用いて警告音を発生させたりしなければならない。
【００１０】
このため、部品点数が増大して、製造コストが上昇してしまうといった問題があった。
【００１１】
本発明は上記の事情に鑑みてなされたもので、部品点数の増大を抑制して、警告等の情報を表示出来る発光指針構造を提供することを目的とする。
【課題を解決するための手段】
【００１２】
本発明の請求項１に係る発光指針構造は、文字盤裏面側に設けられた光源から該文字盤表面側に照明光を導光する導光部材を設けて、該表面側に回動可能に配設される指針本体を照明する発光指針構造であって、前記導光部材には、前記指針本体を回動させる回転軸の周囲の特定部位に設けられた特定光源の真上に、該指針本体が到達した状態で、該特定光源の照明光を、該指針本体へ導く光学的強調手段が設けられている発光指針構造を特徴としている。
【００１３】
また、請求項２に記載されたものは、前記光源及び特定光源を前記回転軸の周囲に周方向に沿って配列すると共に、特定光源の光量を他の光源の光量よりも明るく設定する請求項１記載の発光指針構造を特徴とする。
【００１４】
更に、請求項３に記載されたものは、前記光源及び特定光源を前記回転軸の周囲に周方向に沿って配列すると共に、特定光源の色彩を、他の光源の色彩と異ならせた注意喚起色とする請求項１又は２記載の発光指針構造を特徴としている。
【００１５】
そして、請求項４に記載されたものは、光学的強調手段は、前記導光部材の入光面若しくは出光面のうち、少なくとも入光面に膨出されて一体に形成される凸レンズ部である請求項１乃至３記載の発光指針構造を特徴とする。
【発明の効果】
【００１６】
本発明の請求項１記載のものによれば、前記導光部材に設けられた光学的強調手段によって、前記指針本体を回動させる回転軸の周囲の特定部位に設けられた特定光源の真上に、該指針本体が到達した状態となると、該特定光源の照明光が、該指針本体へ導かれる。
【００１７】
このため、特定光源の照明光によって、前記指針本体が、ある一定の回動角度になると発光するので、例えば、回転計のレブインジケータとして用いれば、別途、オーバーレブ警告灯を設ける必要が無くなり、部品点数の増大を抑制出来る。
【００１８】
また、前記光学的強調手段で強調できるので、警告灯等を点灯させたり、警告ブザーを鳴らす為の回路も不要となる。このため、この点においても部品点数の増大を抑制出来、製造コストを低減させることができる。
【００１９】
しかも、前記光学的強調手段で、光量を強く設定する等、強調できるので、特定光源として、他の光源と同じ光量のものを使用出来る。
【００２０】
また、請求項２に記載されたものは、前記特定光源の光量を他の光源の光量よりも明るく設定することによって、更に、強調することができる。
【００２１】
更に、請求項３に記載されたものは、特定光源の色彩を、他の光源の色彩と異ならせた注意喚起色とする。ここで、例えば、他の光源の色彩が白色である場合に、特定光源の色彩を赤色とする等、特定光源の色彩を、他の光源の色彩と異ならせた注意喚起色とする。
【００２２】
このため、前記特定光源の真上に、該指針本体が到達した状態となると、該指針本体が、他の光源の色彩と異なる注意喚起色で照明されて、更に注意を促すことができる。
【００２３】
また、請求項４に記載されたものは、光学的強調手段の凸レンズ部が、少なくとも入光面に膨出されて一体に形成されているので、前記導光部材の対応する出光面に対向する位置へ、前記指針本体が到達した状態で、該特定光源の照明光が、該指針本体へ導かれて、強調されて発光される。
【００２４】
該導光部材は、他の角度での指針本体の照明光を導光するものを用いて構成出来るので、部品点数が増大する虞がなく、しかも一体に成形することにより、容易に形成できる。
【発明を実施するための最良の形態】
【００２５】
以下、発明を実施するための最良の形態を実施例に基づいて説明する。なお、前記従来例と同一乃至均等な部分については同一符号を付して説明する。
【００２６】
まず、図１乃至図４を用いて構成から説明すると、この実施の形態に係る発光指針構造では、メータ装置としてのコンビネーションメータ１００には、ハウジング部材６の内部に、回路基板１が設けられている。
【００２７】
この回路基板１の裏面側１ｂには、回転計９を構成するムーブメント２が設けられていて、回転軸２ａを、この回路基板１の表面側１ａに挿通すると共に、図示省略の制御回路部に接続されることによって、この回転軸２ａを、所望の角度まで回動可能となるように構成されている。
【００２８】
この回転軸２ａの先端部分は、文字盤６に開口形成された挿通孔６ａから、表面側６ｂに向けて挿通されて、指針本体３の取付基部３ａに設けられた圧入孔３ｂに、圧入固定されている。
【００２９】
この指針本体３の取付基部３ａには、略有天円筒状のキャップ部材８が装着されている。そして、この指針本体３からは、透明樹脂によって構成されていて、前記取付基部３ａから棒状に一体となるように、このキャップ部材８のスリット部８ａから外部に露出する発光部３ｃが延設されている。
【００３０】
このため、前記回転軸２ａの回動に伴って、前記指針本体３が、前記キャップ部材８と共に回動するように構成されている。
【実施例１】
【００３１】
図１乃至図３は、本発明の実施形態の実施例１に係る発光指針構造を説明するものである。
【００３２】
コンビネーションメータ１００のハウジング部材７内に位置する前記文字盤６裏面側には、回路基板１が一定距離離間されて設けられている。
【００３３】
この回路基板１の上面側には、前記回転軸２ａの周囲に、光源としての複数の白色ＬＥＤ１１…及び特定光源としての一つの赤色ＬＥＤ１２が、周方向に所定間隔を置いて配列されて固着されている。
【００３４】
この実施例１では、赤色ＬＥＤ１２の発光色の色彩を、他の白色ＬＥＤ１１…の発光色の色彩と異ならせた注意喚起色である赤色とすると共に、光量を他の白色ＬＥＤ１１…の光量よりも明るくなるように設定されている。
【００３５】
これらの赤色ＬＥＤ１２及び白色ＬＥＤ１１…と、前記指針本体３との間には、透明樹脂製の導光部材１０が設けられている。
【００３６】
この導光部材１０は、図２に示すように入光面としての下面１０ｄ及び出光面としての上面１０ｅとを有する略円錐台形状を呈して、中央に軸孔１０ａが貫通形成されている。
【００３７】
また、この下面１０ｄ及び上面１０ｅには、各々光学的強調手段として膨出形成される凸レンズ部としての入光側凸レンズ部１０ｃ及び出光側凸レンズ部１０ｂが設けられている。
【００３８】
これらの入光側凸レンズ部１０ｃ及び出光側凸レンズ部１０ｂは、各々前記赤色ＬＥＤ１２の真上で、図３に示す文字盤６のレッドゾーン６ｃに対応する位置に、一体となるように各々膨出形成されている。
【００３９】
そして、これらの入光側凸レンズ部１０ｃ及び出光側凸レンズ部１０ｂの真上に、前記指針本体３が回動により到達した状態では、前記赤色ＬＥＤの照明光が、この指針本体３の取付基部３ａ側から入光して反射により、前記発光部３ｃ方向へ導かれることにより、指針本体３が、比較的明るく発光しているかのように照明されるように構成されている。
【００４０】
次に、この実施例１の発光指針構造の作用について説明する。
【００４１】
この実施例１の発光指針構造では、前記指針本体３が、前記回転計９のレッドゾーン６ｃに到達しない回転域を指示している場合には、前記導光部材１０の下面１０ｄ側から入光した前記白色ＬＥＤ１１…の照明光が、上面１０ｅから前記指針本体３の取付基部３ａ側へ照光されるように導かれる。
【００４２】
このため、白色光が、この指針本体３に入光して反射により、前記発光部３ｃ方向へ導かれることにより、指針本体３が、一定の光量で照明される。
【００４３】
次に、前記指針本体３が、前記ムーブメント２の回動駆動によって回動されて、前記赤色ＬＥＤ１２の真上に、指針本体３が到達した状態となると、赤色ＬＥＤ１２の照明光が、前記導光部材１０の入光側凸レンズ部１０ｃ及び出光側凸レンズ部１０ｂを介して、指針本体３方向へ集光されて導かれる。
【００４４】
このため、赤色ＬＥＤ１２の照明光によって、前記指針本体３が、文字盤６上のレッドゾーン６ｃに差し掛かる一定の回動角度になると、赤色に強く発光するので、回転計９のレブインジケータとして用いることにより、別途、オーバーレブ警告灯を設ける必要が無くなり、部品点数の増大を抑制出来る。
【００４５】
また、前記導光部材１０の下面１０ｄ及び上面１０ｅに一体に膨出形成される凸レンズ部としての入光側凸レンズ部１０ｃ及び出光側凸レンズ部１０ｂで、発光を強調できるので、警告灯等を点灯させたり、警告ブザーを鳴らす為の回路も不要となる。
【００４６】
このため、この点においても部品点数の増大を抑制出来、製造コストを低減させることができる。
【００４７】
しかも、前記入光側凸レンズ部１０ｃ及び出光側凸レンズ部１０ｂで、光量を強く設定する等、強調できるので、赤色ＬＥＤ１２として、白色ＬＥＤ１１…と略同じ光量のものを使用することも出来る。
【００４８】
また、この実施例１では、赤色ＬＥＤ１２の光量が、他の白色ＬＥＤ１１…の光量よりも明るくなるように発光量の異なるものを用いて、指針本体３の明るさを設定することによって、更に、明るく発光させて強調することができる。
【００４９】
更に、赤色ＬＥＤ１２の色彩を赤色として、他の白色ＬＥＤ１１…の色彩と異ならせた注意喚起色としている。
【００５０】
このため、前記赤色ＬＥＤ１２の真上に、指針本体３が到達した状態となると、指針本体３が、他の白色ＬＥＤ１１の色彩である白色とは異なる赤色の注意喚起色で照明されて、更に注意を促すことができる。
【００５１】
また、この実施例１では、入光側凸レンズ部１０ｃが、入光面である下面１０ｄに膨出されて一体に形成されているので、赤色ＬＥＤ１２の照明光は、この入光側凸レンズ部１０ｃを通過する際に、略平行光となり、前記導光部材１０内を通過する。
【００５２】
そして、出光面である上面１０ｅの出光側凸レンズ部１０ｂを通過する際に集光されながら指針本体３方向へ出光される。
【００５３】
このため、この出光側凸レンズ部１０ｂに対向する位置へ、前記指針本体３が到達した状態で、赤色ＬＥＤ１２の照明光が、この指針本体３へ導かれて、強調されて発光される。
【００５４】
この導光部材１０は、他の角度での指針本体３の照明光を導光するものを共用して構成されているので、部品点数が増大する虞がなく、しかも一体に成形することにより、容易に形成できる。
【実施例２】
【００５５】
図４は、本発明の実施形態の実施例２に係る発光指針構造を説明するものである。
【００５６】
なお、前記実施例１と同一乃至均等な部分については同一符号を付して説明する。
【００５７】
この実施例２の導光部材２０では、入光面としての下面２０ｄのみに、光学的強調手段として膨出形成される凸レンズ部としての入光側凸レンズ部２０ｃが設けられている。
【００５８】
他の構成及び作用効果については、前記実施例１と同様であるので説明を省略する。
【００５９】
以上、図面を参照して、本発明の実施の形態の実施例１，２を詳述してきたが、具体的な構成は、この実施例１，２に限らず、本発明の要旨を逸脱しない程度の設計的変更は、本発明に含まれる。
【００６０】
即ち、前記実施例１，２の発光指針構造では、赤色ＬＥＤ１２の発光色の色彩を、他の白色ＬＥＤ１１…の発光色の色彩と異ならせた注意喚起色である赤色としているが、特にこれに限らず、白色、黄色、緑色等の他の色彩であってもよい。
【００６１】
また、赤色ＬＥＤ１２の光量が、他の白色ＬＥＤ１１…の光量よりも明るくなるように設定されているが、特にこれに限らず、同一光量であってもよい。
【００６２】
更に、白色ＬＥＤ１１…を省略しても良く、形状、配置位置、数量及び導光部材の材質等が特に限定されるものではない。
【００６３】
そして、前記実施例１では、指針本体３を、車両のエンジン回転数を検出して指示する回転計９に用いたものを示して説明してきたが、特にこれに限らず、例えば、スピードメータに用いて、特定光源の照明光を用いて、例えば１００ｋｍを越える速度超過領域に指針本体３が到達した状態で発光させたり、或いは、水温計、油温計、電圧計若しくは燃料計等、どのような種類のアナログメータ等にもちいても指針本体を用いるものであれば、種類、形状、数量及び材質が特に限定されるものではない。
【図面の簡単な説明】
【００６４】
【図１】本発明の最良の実施の形態の実施例１に係る発光指針構造の構成を説明し、図３中Ａ−Ａ線に沿った位置での断面図である。
【図２】実施例１に係る発光指針構造で、導光部材の斜視図である。
【図３】実施例１に係る発光指針構造を用いたコンビネーションメータの一部を破断省略した正面図である。
【図４】実施例２に係る発光指針構造の構成を説明し、図３中Ａ−Ａ線に沿った位置に相当する部分での断面図である。
【図５】従来例の発光指針構造で、縦断面図である。
【図６】従来例の発光指針構造に用いる導光部材の側面図である。
【図７】従来例の発光指針構造に用いる導光部材の下面図である。
【符号の説明】
【００６５】
１          回路基板
２ａ        回転軸
６          文字盤
６ｂ        表面側
１０，２０  導光部材
発光指針構造
１１        白色ＬＥＤ（他の光源）
１２        赤色ＬＥＤ（特定光源）
光学的強調手段
１０ｂ      出光側凸レンズ部（凸レンズ部）
１０ｃ      入光側凸レンズ部（凸レンズ部）
１０ｄ      下面（入光面）
１０ｅ      上面（出光面）
【図１】
2006337177.tif 000003
【図２】
2006337177.tif 000004
【図３】
2006337177.tif 000005
【図４】
2006337177.tif 000006
【図５】
2006337177.tif 000007
【図６】
2006337177.tif 000008
【図７】
2006337177.tif 000009